(57)【要約】【課題】本体の側面に記録部が設けられたカセットを用いてパラフィンブロック付着体を作成する際に、記録部にパラフィンが付着して該記録部の文字が見え難くなったり、付着したパラフィンを除去する煩雑な作業を必要としない病理組織検査標本作成用の包埋トレイを提供する。【解決手段】  側壁４の上端からはカセットをパラフィン収容部上に載置し係止する係止壁６が立設され、側壁４と係止壁６の境界にはカセット支承部５が形成され、カセット支承部５がここにパラフィンを滞留させないように狭く又は斜面状に形成され、係止壁６が実質的にカセットの記録部Ｃ３を覆わないように低く形成されるとともに、該係止壁６の外周に略水平状の額縁部を備えていないことを特徴とする病理組織検査標本作成用の包埋トレイ１である。【選択図】図１
2008145118.tif 000002
【特許請求の範囲】
【請求項１】
パラフィン収容部の上端にカセットを載置して使用する病理組織検査標本作成用の包埋トレイであって、前記パラフィン収容部は底部とその周りに立設された側壁とからなる上面が開口した方形の容器からなり、各側壁の上端からはカセットをパラフィン収容部上に載置し係止する係止壁が立設され、側壁と係止壁の境界にはカセット支承部が形成され、カセット支承部がここにパラフィンを滞留させないように狭く又は斜面状に形成され、係止壁が実質的に該記録部を覆わないように低く形成されるとともに、該係止壁の外周に略水平状の額縁部を備えていないことを特徴とする病理組織検査標本作成用の包埋トレイ。
【請求項２】
狭く形成されたカセット支承部の幅が０．３〜３ｍｍであることを特徴とする請求項１記載の病理組織検査標本作成用の包埋トレイ。
【請求項３】
斜面状に形成されたカセット支承部の最小傾斜角度が４５°以上であることを特徴とする請求項１又は２記載の病理組織検査標本作成用の包埋トレイ。
【請求項４】
カセット支承部が断続的に形成されていることを特徴とする請求項１〜３のいずれかに記載の病理組織検査標本作成用の包埋トレイ。
【請求項５】
カセット支承部が半球状突起からなることを特徴とする請求項４記載の病理組織検査標本作成用の包埋トレイ。
【請求項６】
副支承部がパラフィン収容部の角部に設けられることを特徴とする請求項１〜５のいずれかに記載の病理組織検査標本作成用の包埋トレイ。
【請求項７】
係止壁の高さは、パラフィン収容部上に載置するカセットの高さの４分の１以下であることを特徴とする請求項１〜６のいずれかに記載の病理組織検査標本作成用の包埋トレイ。
【請求項８】
把持部が、カセットの記録部が配置されない係止壁の上端から横設されていることを特徴とする請求項１〜７のいずれかに記載の病理組織検査標本作成用の包埋トレイ。
【請求項９】
パラフィン収容部の形状が左右非対称であることを特徴とする請求項１〜８のいずれかに記載の病理組織検査標本作成用の包埋トレイ。
【発明の詳細な説明】
【技術分野】
【０００１】
本発明は病理組織検査標本作成用の包埋トレイに関し、更に詳しくは、本体の側面に記録部が設けられたカセットを用いてパラフィンブロック付着体を作成する際に、記録部にパラフィンが付着して該記録部の文字が見えにくくなったり、付着したパラフィンを除去する煩雑なトリミング作業を必要としない病理組織検査標本作成用の包埋トレイに関する。
【背景技術】
【０００２】
従来、この種の病理組織検査標本作成用の包埋トレイとしては、図２３に示したようなものが多用されている。この包埋トレイＴはパラフィン収容部Ｔ１と、その周縁に水平状に設けられた、カセットを載置するためのカセット支承部Ｔ２と、その周縁に立設されたカセットの動きを止めるためのカセット係止部Ｔ３と、その周縁に水平状に設けられた額縁部Ｔ４となり、更に、長手方向の額縁部Ｔ４の略中央部に横設された把持部Ｔ５とから構成されている。
【０００３】
また、近年では、方形の容器からなるパラフィン収容部とその周縁に設けられたパラフィンブロック付着体の載置部とからなり、前記載置部が少なくとも２個設けられており、サイズの異なる２種類以上のカセット等に対応できる病理組織検査標本作成用トレイが知られている（例えば、特許文献１参照）。
【０００４】
上記病理組織検査標本作成用トレイを使用して顕微鏡標本を作製するには、図２４，図２５に示すように、まず、カセット本体Ｃ１内に採取した検体Ｓを収容して蓋Ｃ２を取り付けて、記録部Ｃ３には被験者の氏名や番号等を記入しておく。次いで、カセット本体Ｃ１の底部や蓋Ｃ２に穿設された透孔Ｃ４から水を流入させて、検体Ｓを水洗し、次いでアルコールにより検体Ｓの水分を除去し、キシレンにより後述する液状パラフィンとの親和性を付与する。
【０００５】
次に、図２６に示すとおり、検体ＳをトレイＴに移して該トレイＴのカセット支承部Ｔ２にカセット本体Ｃ１の底部を載せ、上方からパラフィンＰを注入する。この場合、通常パラフィンＰの注入作業性の面から、トレイＴの額縁部Ｔ４からオーバーフローするまで注入される。次いで、パラフィンＰを冷却固化させた後、トレイＴを取り除くことにより、図２７に示したように、検体Ｓを包埋したパラフィンＰがカセット本体Ｃ１の底部に付着してなるパラフィンブロックＢを得る。その後、ミクロトームでパラフィンに包埋された検体Ｓをスライスして薄片を得て、これに染色等の所定の処理を施すことにより顕微鏡標本を得るのである。
【０００６】
しかしながら、上記の方法では、図２７に示すように、カセット本体Ｃ１の記録部Ｃ３に記載した被験者の氏名や番号等がパラフィンＰ１により覆われ、記録内容を十分に確認することができないため、このパラフィンＰ１をナイフで削り取るトリミング作業が不可欠である。しかしながら、固化したパラフィンは硬く、このパラフィンＰ１の削り取り作業は極めて面倒で、作業性を大きく低下させる。またナイフでの削り取り作業の際に、記録部Ｃ３の表面が傷付けられ、この傷が益々パラフィンを強固に付着させ、トリミング作業を一層厄介なものとするばかりでなく、カセット本体Ｃ１の外観を損ない、また、繰り返し使用の回数を低下させる原因となる。
【０００７】
一方、上記面倒なパラフィンＰ１のトリミング作業を回避せんとして、パラフィンＰが記録部Ｃ３を覆わないように、パラフィンＰのレベルをカセット係止部Ｔ３の下位に止めるように注入しようとする事が考えられるが、この場合は、パラフィンＰ１の注入に細心の注意が必要で、注入作業が面倒となるとともに、時間が掛かり、結局、作業性の大幅な低下は避けられない。
他方、パラフィンＰ１のトリミング作業を行わず、記録部Ｃ３の記録内容の確認が不十分な状態で作業を進めると、被験者を誤認し、信頼性が大きく損なわれるという重大な結果を招くことになる。
【特許文献１】特開２００６−３００７４５号公報
【発明の開示】
【発明が解決しようとする課題】
【０００８】
本発明者らは、かかる実情に鑑み、上記問題点を解消するべく鋭意研究の結果、上記現象は、第１に、従来のトレイにおいては、水平部分からなるカセット支承部Ｔ２及び額縁部Ｔ４が広いためにパラフィンが滞留し易く、ここからパラフィンが盛り上がり易いこと、第２に、カセット係止部Ｔ３が不必要に高いことに起因することを突き止め、トレイのカセット支承部を形成する水平部分を極力少なくするとともに、カセット係止部を低くすることにより、初期の目的が達成されることを見出し、本発明を完成するに至った。
【課題を解決するための手段】
【０００９】
本発明は上記目的を達成するためになされたもので、本発明の請求項１は、パラフィン収容部の上端にカセットを載置して使用する病理組織検査標本作成用の包埋トレイであって、前記パラフィン収容部は底部とその周りに立設された側壁とからなる上面が開口した方形の容器からなり、各側壁の上端からはカセットをパラフィン収容部上に載置し係止する係止壁が立設され、側壁と係止壁の境界にはカセット支承部が形成され、カセット支承部がここにパラフィンを滞留させないように狭く又は斜面状に形成され、係止壁が実質的に該記録部を覆わないように低く形成されるとともに、該係止壁の外周に略水平状の額縁部を備えていないことを特徴とする病理組織検査標本作成用の包埋トレイを内容とする。
【００１０】
本発明の請求項２は、狭く形成されたカセット支承部の幅が０．３〜３ｍｍであることを特徴とする請求項１記載の病理組織検査標本作成用の包埋トレイを内容とする。
【００１１】
本発明の請求項３は、斜面状に形成されたカセット支承部の最小傾斜角度が４５°以上であることを特徴とする請求項１又は２記載の病理組織検査標本作成用の包埋トレイを内容とする。
【００１２】
本発明の請求項４は、カセット支承部が断続的に形成されていることを特徴とする請求項１〜３のいずれかに記載の病理組織検査標本作成用の包埋トレイを内容とする。
【００１３】
本発明の請求項５は、カセット支承部が半球状突起からなることを特徴とする請求項４記載の病理組織検査標本作成用の包埋トレイを内容とする。
【００１４】
本発明の請求項６は、副支承部がパラフィン収容部の角部に設けられることを特徴とする請求項１〜５のいずれかに記載の病理組織検査標本作成用の包埋トレイを内容とする。
【００１５】
本発明の請求項７は、係止壁の高さは、パラフィン収容部上に載置するカセットの高さの４分の１以下であることを特徴とする請求項１〜６のいずれかに記載の病理組織検査標本作成用の包埋トレイを内容とする。
【００１６】
本発明の請求項８は、把持部が、カセットの記録部が配置されない係止壁の上端から横設されていることを特徴とする請求項１〜７のいずれかに記載の病理組織検査標本作成用の包埋トレイを内容とする。
【００１７】
本発明の請求項９は、パラフィン収容部の形状が左右非対称であることを特徴とする請求項１〜８のいずれかに記載の病理組織検査標本作成用の包埋トレイを内容とする。
【発明の効果】
【００１８】
本発明の病理検査標本作成用の包埋トレイは、カセット支承部がここにパラフィンを滞留させないように狭く又は斜面状に形成され、且つ、係止壁が実質的に該記録部を覆わないように低く形成され、さらに、該係止壁の外周に略水平状の額縁部を備えていないので、パラフィンは切りっ放しの係止壁により下方に切り落とされる。また、記録部の下方にはパラフィンが滞留し盛り上がるような水平部分が実質的に存在せず、その結果、パラフィンが記録部を覆うようなことがなくなる。従って、付着したパラフィンを削り取るトリミング作業が不要で、作業性が高められるとともに、記録内容を容易且つ確実に確認することができる。
【００１９】
カセット支承部の幅が０．３〜３ｍｍであると、この部分にはパラフィンが滞留せず、固化したパラフィンの滞留や盛り上がりを防ぎ、記録部の確認を容易にするとともにカセットを確実に載置することができるので好ましい。また、幅が３ｍｍを超えたとしても、カセット支承部が最小傾斜角度４５°以上の斜面であれば同様の効果が得られる。
【００２０】
カセット支承部が断続的に形成されていれば、このカセット支承部の間からもパラフィンが滑り落ちるため、パラフィンの滞留がますます起こり難くなる。カセット支承部の形状としては半球状突起を例示でき、この場合はパラフィンが流れやすくなり、且つ、最置するカセットを十分支承できる。
【００２１】
副支承部がパラフィン収容部の角部に設けられると、カセット又はトレイの寸法安定性が悪い場合であってもカセットをしっかり支承でき、好適なパラフィンブロックを作成することができる。なお、パラフィンは副支承部上で多少滞留して盛り上がるが、通常の場合、角部には被験者番号等を記載しないため、盛り上がったパラフィンにより記録が読めなくなることはない。
【００２２】
この係止壁の高さはカセットの高さの４分の１以下が好ましく、この程度であると、実質上記載された文字がパラフィンで覆われるようなこともない。
【００２３】
また、把持部をカセットの記録部が配置されない壁部の係止壁の上端から横設すれば、例え把持部の上にパラフィンが盛り上がったとしても記録部に記載された被験者番号等を覆うことがなく、且つ該トレイを扱いやすくなるので、作業性は大巾に向上する。
【００２４】
さらに、パラフィン収容部の形状を左右非対称とすれば、顕微鏡標本を作製したとき、パラフィンの形状で標本の左右が判別できるため、標本の取り違え等の危険性が減少し、検査の信頼性が向上する。
【発明を実施するための最良の形態】
【００２５】
本発明の病理検査標本作成用の包埋トレイ（以下、単に包埋トレイと記す）は、パラフィン収容部の上端にカセットを載置して使用される。本発明の包埋トレイは、パラフィン収容部が底部とその周りに立設された側壁とからなる上面が開口した方形の容器からなり、各側壁の上端からはカセットをパラフィン収容部上に載置し係止する係止壁が立設され、側壁と係止壁の境界にはカセット支承部が形成され、カセット支承部がここにパラフィンを滞留させないように狭く又は斜面状に形成され、係止壁が実質的に該記録部を覆わないように低く形成されるとともに、該係止壁の外周に略水平状の額縁部を備えていないことを特徴とする。
【００２６】
本発明の包埋トレイは液状（溶融）パラフィンに耐える耐熱性素材から作られ、かかる素材としては、ステンレス等の金属、ポリエステル、ポリアミド、ポリカーボネート、ポリアセタール等の樹脂等が挙げられる。
【００２７】
パラフィン収容部は、パラフィンブロックの脱型を容易にするため、通常、側壁が底部から開口部に向かって末広がりのテーパー状の容器からなる。
【００２８】
各側壁の上端からはカセットをパラフィン収容部上に載置し係止する係止壁が立設される。係止壁の高さは、カセットの側部を覆うパラフィンを減らし、記録部に記載された文字等を確実に読み取るために、実質的に該記録部を覆わないように低く形成される。
具体的な係止壁の高さはカセットの大きさに応じて適宜決定すればよく、特に限定されないが、記録部に記載する文字の大きさ等を考慮すると、好ましくは該カセットの高さの４分の１以下、より好ましくは５分の１以下であれば、記録部に記載される文字等が隠される恐れが少なく、記録部は実質的に覆われず、また、通常、固化したパラフィンがカセット本体の底部の透孔を埋めて十分に係合するので好適なパラフィンブロックを得ることができる。
【００２９】
係止壁は全周に渡って高さを同一にしてもよいが、好ましくはその一部を低く形成してパラフィン排出部とすることも可能である。このようにすると、パラフィン排出部から余分なパラフィンが排出され、固化後のパラフィンの盛り上がりが抑えられる。パラフィン排出部の大きさは特に限定されないが、他の部分より０．５〜１ｍｍ程度低い部分を幅１〜２ｍｍ程度の巾で設けるのが好ましい。
【００３０】
本発明において、パラフィン収容部の上にカセットを載置するために、側壁と係止壁の境界にはカセット支承部が形成される。このカセット支承部は狭く又は斜面状に形成され、これによりカセット支承部にはパラフィンが滞留せず、従ってパラフィンが盛り上がった状態で固化し記録部の文字が隠される恐れがなくなる。具体的には、カセット支承部の幅は０．３〜３ｍｍ程度が好ましく、より好ましくは０．５〜２ｍｍ、更に好ましくは０．５〜０．８ｍｍである。０．３ｍｍ未満ではカセットや包埋トレイの製造上の寸法誤差によりカセットの底部がカセット支承部より小さくなってしまう場合があり、カセットが十分に支承されずパラフィン収容部内に落ち込んでしまうおそれがある。また、３ｍｍを超えるとパラフィンがこのカセット支承部の上に滞留し、盛り上がった状態で固化してしまう傾向がある。
【００３１】
カセット支承部が斜面状に形成されていると、パラフィンはこの斜面に沿って滑り落ちようとし滞留しないので好ましい。特にカセット支承部の幅が大きい場合に好適な効果が得られる。この場合、カセット支承部の最小傾斜角度が４５°以上とするのが好ましい。４５°未満であるとカセット支承部の幅によってはパラフィンが滞留してしまう恐れがある。なお、傾斜角度の上限は特に無く、９０°よりも小さければカセットを載置することが可能ではあるが、あまり傾斜角度が大きいとパラフィン収容部自体が深くなり過ぎて扱い難くなる。実際的には、側壁の傾斜角度よりも１０〜４０°程度小さい程度が適当である。
【００３２】
本発明の包埋トレイにおいて、カセット支承部をその全周に連続して設けてもよいが、断続的に設けることもできる。この場合、カセット支承部の間隙からもパラフィンが滑り落ちるため、一段と滞留しにくくなり、パラフィンの盛り上がりが抑制される。更に好ましくは、このカセット支承部を半球状突起とする。この場合、パラフィンは半球状突起の表面を滑り落ちることとなり、パラフィンの盛り上がりが更に抑制される。
【００３３】
パラフィン収容部の各上端角部には副支承部を設けてもよい。該副支承部は、カセットを載置できる形状であれば特に制限されないが、パラフィン収容部の角部をやや内側に陥入させ、この部分の上端をカセット支承部とする構造が例示できる。
なお、パラフィンはこの副支承部の上で盛り上がってカセットの角部を覆う場合があるが、検体を識別するための被験者番号等は、通常の場合、記録部の中央部寄りに記載されるため、両端部で盛り上がったパラフィンにより隠される恐れは殆どない。しかしながら、この恐れを更に小さくするため、少なくとも記録部が配置される側壁に接する副支承部はできるだけ小さい方が好ましい。
【００３４】
本発明の包埋トレイを扱いやすくするため、側壁又は係止壁に把持部を横設してもよい。把持部は、包埋トレイの製造工程を考慮すると、係止壁の上端に設けるのが容易であるが、パラフィンはこの把持部の上でも盛り上がるため、カセットの記録部が配置されない係止壁の上端から横設するのが好ましい。このようにすると、把持部の上でパラフィンが盛り上がったとしても記録部の文字を隠すことはないので特に不都合はない。
【００３５】
パラフィン収容部の形状は、左右非対称とすることにより、ミクロトームでスライスされた薄片の左右が明確に区別されるので、作業性が高められ、また左右誤認により検体を取り違えるといったトラブルが防止されるので、検査の信頼性が向上する。
左右非対称とする方法は特に限定されないが、例えば、角部のアール半径を変える（大きくする）方法や、記録部が配置されない辺の側壁を波形にする方法が採用できる。
【００３６】
本発明の包埋トレイでパラフィンブロックを作成するカセットは側面に記録部を有するカセットであれば特に限定はなく、代表的なカセットとして、図２１，図２４に示した如く、側面にミクロトームのアダプターに係止するためのアダプター係止部Ｃ５を有するカセット，図２２, 図２５に示したような、斜面状の記録部を有するカセット等が挙げられる。
【実施例】
【００３７】
以下、本発明を図面に基づいて更に詳細に説明するが、本発明はかかる実施例のみに限定されないことは云うまでもない。
【００３８】
実施例１
本実施例の包埋トレイ１は、図１〜図３に示すように、底部３とそれを取り囲む側壁４とから形成される方形の容器からなるパラフィン収容部２と、前記側壁４の上端、即ち、パラフィン収容部２の開口部に立設された係止壁６と、長辺側の係止壁６の上端から横設された把持部７からなる。
図４の部分拡大図に示すように、側壁４と係止壁６の境界にはカセット支承部５が形成される。本実施例におけるカセット支承部５は側壁４の上端から僅かな幅だけ横設された幅が狭い水平部分であるので、パラフィンはカセット支承部５の上には滞留しにくくなっている。
【００３９】
図４は本実施例の包埋トレイ１の断面図を実線で示すと共に、検体ＳとカセットＣを破線で示した図である。なお、図４におけるカセットＣは図２１及び図２４に示したものである。この包埋トレイ１は、破線で示したように、検体Ｓをパラフィン収容部２に投入するとともに、カセット本体Ｃ１をカセット支承部５の上に載置して使用する。この場合、カセット本体Ｃ１の記録部Ｃ３は把持部７が設けられていない辺、具体的には図４における左右の辺（図１における右辺と左辺）のいずれかに配置されるが、本図においては右辺に配置されている。
【００４０】
本実施例の包埋トレイ１の左右の辺において、係止壁６には水平状の額縁部がなく、云わば切りっ放しであるとともに、側壁４からその上端の係止壁６までパラフィンが滞留するような幅広の水平部分がない。従って、図５で示したように、本実施例の包埋トレイ１を用いて使用したパラフィンブロックＢでは、パラフィンは切りっ放しの係止壁６の上端により下方に切り落とされるとともに、水平部に固化したパラフィンが盛り上がって記録部に記載される被験者番号等Ｎが隠されることもない。
なお、図５では、把持部６の上に余分なパラフィンＰ１が盛り上がっているが、把持部６はカセットの記録部が配置されない係止壁６の上端から横設されており、当然、このパラフィンＰ１が記録部の文字等Ｎを隠すことはない。
【００４１】
本実施例においてパラフィン収容部の大きさは、開口部が４０ｍｍ×２８ｍｍ、底部が３６．６ｍｍ×２５．６ｍｍ、高さが８ｍｍである。パラフィン収容部の上端に立設された係止壁の高さは１．２ｍｍであり、その上端から横設される把持部７は２ｍｍ×２０ｍｍであり、カセット支承部の幅は０．２ｍｍである。なお、使用する予定のカセットの高さは６．４ｍｍであるので、係止壁の高さはカセットの高さの４分の１以下（１．２／６．４）である。
【００４２】
実施例２
本実施例の包埋トレイ１は、図６〜図８に示すように、底部３とそれを取り囲む側壁４とから形成される方形の容器からなるパラフィン収容部２と、前記側壁４の上端、即ち、パラフィン収容部２の開口部に立設された係止壁６と、係止壁６の上端から横設された把持部７からなる。把持部７の両側には、パラフィン排出部６ａが設けられている。
図９の部分拡大図に示すように、側壁４と係止壁６の境界にはカセット支承部５が形成される。本実施例におけるカセット支承部５は側壁４の上端から斜面状に形成されているので、パラフィンはカセット支承部５の上には滞留しにくくなっている。
【００４３】
図９は本実施例の包埋トレイ１の断面図を実線で示すと共に、検体ＳとカセットＣを破線で示した図である。なお、図４におけるカセットＣは図２１及び図２４に示したものである。この包埋トレイ１は、破線で示したように、検体Ｓをパラフィン収容部２に投入するとともに、カセット本体Ｃ１をカセット支承部５の上に載置して使用する。この場合、カセット本体Ｃ１の記録部Ｃ３は把持部７が設けられていない辺、具体的には図９における左右の辺（図５における右辺と左辺）のいずれかに配置されるが、本図においては右辺に配置されている。
【００４４】
本実施例の包埋トレイ１の左右の辺において、係止壁６には水平状の額縁部がなく、云わば切りっ放しであるとともに、側壁４からその上端の係止壁６までパラフィンが滞留するような水平部分がない。従って、図１０で示したように、本実施例の包埋トレイ１を用いて使用したパラフィンブロックＢでは、パラフィンは切りっ放しの係止壁６の上端により下方に切り落とされるとともに、水平部に固化したパラフィンが盛り上がって記録部に記載される被験者番号等Ｎが隠されることもない。
なお、図１０では、把持部６の上に余分なパラフィンＰ１が盛り上がっているが、把持部６はカセットの記録部が配置されない係止壁６の上端から横設されており、当然このパラフィンＰ１が記録部の文字等Ｎを隠すことはない。
【００４５】
本実施例においてパラフィン収容部の大きさは、開口部が４０ｍｍ×２８ｍｍ、底部が３６．６ｍｍ×２５．６ｍｍ、高さが８ｍｍである。パラフィン収容部の上端に立設された係止壁の高さは１．２ｍｍであり、その上端から横設される把持部７は２ｍｍ×２０ｍｍ、パラフィン排出部６ａは巾１．５ｍｍ、高さ０．５ｍｍである。カセット支承部の幅は０．３ｍｍであり、その最小傾斜角度は４５°である。なお、使用する予定のカセットの高さは６．４ｍｍであるので、係止壁の高さはカセットの高さの４分の１以下（１．２／６．４）である。
【００４６】
実施例３
本実施例の包埋トレイ１は、図１１〜図１３に示すように、底部３とそれを取り囲む側壁４とから形成される方形の容器からなるパラフィン収容部２と、前記側壁４の上端、即ち、パラフィン収容部２の開口部に立設された係止壁６と、係止壁６の上端から横設された把持部７からなる。
図１４の部分拡大図に示すように、側壁４と係止壁６の境界にはカセット支承部５が形成される。本実施例におけるカセット支承部５は側壁４と係止壁６の境界を外側からプレス加工により押し込んで内側に突出させることにより形成されている。また、カセット支承部５は断続的に形成されているので、パラフィンはカセット支承部５の間隙からも滑り落ち、一段と滞留しにくくなっている。
【００４７】
パラフィン収容部２の右側及び左上の角部は若干内側に陥入されてアール処理されており、その上端からは水平に副支承部５ａが延設されている。そして、左下の角部は他の角部と比較して大きく嵌入されており、その上端から延設される副支承部５ａも大きくされている。これによりパラフィン収容部２は左右非対称とされており、パラフィンブロックＢから顕微鏡標本を作製した後も、その検体を含むパラフィンの形状を見ることによりその検体の向きを判断できる。
【００４８】
図１４は本実施例の包埋トレイ１の断面図を実線で示すと共に、検体ＳとカセットＣを破線で示した図である。なお、図１４におけるカセットＣは図２２及び図２５に示したものである。この包埋トレイ１は、破線で示したように、検体Ｓをパラフィン収容部２に投入するとともに、カセット本体Ｃ１をカセット支承部５及び副支承部５ａの上に載置して使用する。この場合、カセット本体Ｃ１の記録部Ｃ３は把持部７が設けられていない辺、具体的には図１４における左右の辺（図１１における右辺と左辺）のいずれかに配置されるが、本図においては右辺に配置されている。
【００４９】
本実施例の包埋トレイ１の左右の辺において、係止壁６には水平状の額縁部がなく、云わば切りっ放しであるとともに、側壁４からその上端の係止壁６まで、副支承部５ａを除き、パラフィンが滞留するような水平部分がない。従って、図１５で示したように、本実施例の包埋トレイ１を用いて使用したパラフィンブロックＢでは、パラフィンは切りっ放しの係止壁６の上端により下方に切り落とされるとともに、水平部に固化したパラフィンが盛り上がって記録部に記載される被験者番号等Ｎが隠されることもない。
なお、図１５では、パラフィンブロックＢの角部においてパラフィンＰが副支承部５ａの上部で少し盛り上がっているが、この程度の盛り上がりは特に問題ではなく、また、通常の場合、被験者番号等Ｎは記録部Ｃ３の中央寄りに記録されるため、実質的に記録の読み取りには支障がない。また、把持部６の上に余分なパラフィンＰ１が盛り上がっているが、把持部６はカセットの記録部が配置されない係止壁６の上端から横設されており、当然、このパラフィンＰ１が記録部の文字等Ｎを隠すことはない。
【００５０】
本実施例においてパラフィン収容部の大きさは、開口部が４０ｍｍ×２８ｍｍ、底部が３６．６ｍｍ×２５．６ｍｍ、高さが８ｍｍである。パラフィン収容部の上端に立設された係止壁の高さは１．２ｍｍであり、その上端から横設される把持部７は２ｍｍ×２０ｍｍである。カセット支承部の幅（突出高さ）は０．５ｍｍであり、その最小傾斜角度は４５°である。なお、使用する予定のカセットの高さは６．４ｍｍであるので、係止壁の高さはカセットの高さの４分の１以下（１．２／６．４）である。
【００５１】
実施例４
本実施例の包埋トレイ１は、図１６〜１８に示すように、底部３とそれを取り囲む側壁４とから形成される方形の容器からなるパラフィン収容部２と、前記側壁４の上端、即ち、パラフィン収容部２の開口部に立設された係止壁６からなる。
図１９の部分拡大図に示すように、側壁４と係止壁６の境界にはカセット支承部５が形成される。本実施例におけるカセット支承部５は側壁４と係止壁６の境界の中央付近に突設した半球状突起により形成されている。従って、パラフィンはカセット支承部５の表面から滑り落ちやすく、一段と滞留しにくくなっている。
【００５２】
パラフィン収容部２の右側の角部は若干内側に陥入されてアール処理されており、左側の角部は右側の角部と比較して大きく嵌入されている。これによりパラフィン収容部２は左右非対称とされており、パラフィンブロックから顕微鏡標本を作製した後も、その検体を含むパラフィンの形状を見ることによりその検体の向きを判断できる。
前記アール処理等された角部の上端からは、それぞれ副支承部５ａが延設されている。
【００５３】
図１９は、本実施例の包埋トレイ１の断面図を実線で示すと共に、検体ＳとカセットＣを破線で示した図である。なお、図１９におけるカセットＣは図２１及び図２４に示したものである。この包埋トレイ１は、破線で示したように、検体Ｓをパラフィン収容部２に投入するとともに、カセット本体Ｃ１をカセット支承部５及び副支承部５ａの上に載置して使用する。本実施例の場合、包埋トレイ１のいずれの辺にも把持部７が設けられていないため、任意の辺に記録部Ｃ３を配置でき、言い換えると、カセットＣのいずれの側面に被験者番号等Ｎを記載しても、盛り上がったパラフィンＰにより隠される恐れがない。
【００５４】
本実施例の包埋トレイ１の上下左右の各側壁４，４において、副支承部５ａを除き、パラフィンが滞留するような水平部分がない。従って、図２０で示したように、本実施例の包埋トレイ１を用いて使用したパラフィンブロックＢでは、固化したパラフィンが盛り上がって記録部に記載される被験者番号等Ｎが隠されることもない。
なお、図２０で示したように、パラフィンブロックＢの角部ではパラフィンＰが副支承部５ａの上部で少し盛り上がっているが、この程度の盛り上がりは特に問題ではなく、また、通常の場合、被験者番号等Ｎは記録部Ｃ３の中央寄りに記録されるため、実質的に記録の読み取りには支障がない。
【００５５】
本実施例においてパラフィン収容部の大きさは、開口部が４０ｍｍ×２８ｍｍ、底部が３６．６ｍｍ×２５．６ｍｍ、高さが８ｍｍである。パラフィン収容部の上端に立設された係止壁の高さは０．８ｍｍであり、カセット支承部の幅（突出高さ）は０．５ｍｍである。なお、使用する予定のカセットの高さは６．４ｍｍであるので、記録部が配置される側壁の係止壁の高さはカセットの高さの４分の１以下（０．８／６．４）である。
【産業上の利用可能性】
【００５６】
叙上のとおり、本発明の病理組織検査標本作成用の包埋トレイは、本体の側面に記録部が設けられたカセットを用いてパラフィンブロック付着体を作成する際に、記録部にパラフィンが付着して該記録部の文字が見え難くなることがなく、また、付着したパラフィンを除去する煩雑なトリミング作業が不要であるため、病理組織検査標本を作成する作業性や検査の信頼性が大幅に高められ、その有用性は頗る大である。
【図面の簡単な説明】
【００５７】
【図１】本発明の包埋トレイの実施例１を示す平面図である。
【図２】実施例１の側面図である。
【図３】実施例１の正面図である。
【図４】実施例１（図１）のＡ−Ａ断面図である。
【図５】実施例１の包埋トレイを使用して作成したパラフィンブロックである。
【図６】本発明の包埋トレイの実施例２を示す平面図である。
【図７】実施例２の側面図である。
【図８】実施例２の正面図である。
【図９】実施例２（図６）のＢ−Ｂ断面図である。
【図１０】実施例２の包埋トレイを使用して作成したパラフィンブロックである。
【図１１】本発明の包埋トレイの実施例３を示す平面図である。
【図１２】実施例３の側面図である。
【図１３】実施例３の正面図である。
【図１４】実施例３（図１１）のＣ−Ｃ断面図である。
【図１５】実施例３の包埋トレイを使用して作成したパラフィンブロックである。
【図１６】本発明の包埋トレイの実施例４を示す平面図である。
【図１７】実施例４の側面図である。
【図１８】実施例４の正面図である。
【図１９】実施例４（図１６）のＤ−Ｄ断面図である。
【図２０】実施例４の包埋トレイを使用して作成したパラフィンブロックである。
【図２１】カセットの一例を示す斜視図である。
【図２２】カセットの他の例を示す斜視図である。
【図２３】従来の包埋トレイの例を示す斜視図である。
【図２４】カセット内に検体を入れた状態を示す断面図である。
【図２５】カセット内に検体を入れた状態を示す断面図である。
【図２６】従来の顕微鏡標本の作製方法を示す説明図である。
【図２７】従来の顕微鏡標本の作製方法を示す説明図である。
【符号の説明】
【００５８】
１  包埋トレイ
２  パラフィン収容部
３  底部
４  側壁
５  カセット支承部
５ａ  副支承部
６  係止壁
６ａ  パラフィン排出部
７  把持部
Ｃ  カセット
Ｃ１  本体
Ｃ２  蓋
Ｃ３  記録部
Ｃ４  透孔
Ｃ５  アダプター係止部
Ｐ  パラフィン
Ｐ１  余分なパラフィン
Ｓ  検体
Ｔ  従来のトレイ
Ｔ１  底部
Ｔ２  カセット支承部
Ｔ３  カセット係止部
Ｔ４  額縁部
Ｔ５  把持部
Ｂ  パラフィンブロック
Ｎ  被験者番号等
【図１】
2008145118.tif 000003
【図２】
2008145118.tif 000004
【図３】
2008145118.tif 000005
【図４】
2008145118.tif 000006
【図５】
2008145118.tif 000007
【図６】
2008145118.tif 000008
【図７】
2008145118.tif 000009
【図８】
2008145118.tif 000010
【図９】
2008145118.tif 000011
【図１０】
2008145118.tif 000012
【図１１】
2008145118.tif 000013
【図１２】
2008145118.tif 000014
【図１３】
2008145118.tif 000015
【図１４】
2008145118.tif 000016
【図１５】
2008145118.tif 000017
【図１６】
2008145118.tif 000018
【図１７】
2008145118.tif 000019
【図１８】
2008145118.tif 000020
【図１９】
2008145118.tif 000021
【図２０】
2008145118.tif 000022
【図２１】
2008145118.tif 000023
【図２２】
2008145118.tif 000024
【図２３】
2008145118.tif 000025
【図２４】
2008145118.tif 000026
【図２５】
2008145118.tif 000027
【図２６】
2008145118.tif 000028
【図２７】
2008145118.tif 000029